(57)【要約】      （修正有）【課題】ケーブルを迅速に収容し、容易に外れるのを防止できるケーブル整理具を提供する。【解決手段】ケーブル整理具は、本体２０と、摺動部材４０と、を含む。本体は、頂面２１と、２つの側面２２と、２つのガード部材２３と、摺動溝２４と、を備える。頂面と２つのガード部材は、ケーブルを収容するための収容溝２５を画成する。摺動溝は、２つの側面の少なくとも１つの側面に設けられる。摺動部材は、摺動溝に移動可能に連結され、頂面に面する頂部４１を備え、頂部が摺動部材と共に摺動溝に対して移動し、ケーブルを頂面に近づけさせることで、ケーブルが容易に本体から外れることを防止する。【選択図】図１
0003228366.tif 000002
【実用新案登録請求の範囲】
【請求項１】
頂面（２１）と、２つの側面（２２）と、少なくとも２つの２つのガード部材（２３）と、摺動溝（２４）と、を備え、前記頂面（２１）と前記少なくとも２つのガード部材（２３）は、ケーブル（Ｃ）を収容するための収容溝（２５）を画成し、前記摺動溝（２４）が前記２つの側面（２２）の少なくとも１つに設けられる本体（２０）と、
前記摺動溝（２４）に移動可能に連結され、かつ前記頂面（２１）に面する頂部（４１）を備え、前記頂部（４１）が摺動部材（４０）と共に前記摺動溝（２４）に対して移動することで、ケーブル（Ｃ）を前記頂面（２１）に近づけさせる摺動部材（４０）と、
を含む、ケーブル整理具。
【請求項２】
前記本体（２０）は、前記頂面（２１）に少なくとも１つの第１突起部（２６）を形成し、前記摺動部材（４０）が前記頂部（４１）に第２突起部（４２）を形成し、前記少なくとも１つの第１突起部（２６）及び前記第２突起部（４２）が前記摺動部材（４０）と共に前記摺動溝（２４）に対して移動してケーブル（Ｃ）を屈曲させるよう構成され、前記頂面（２１）が直線部分（２１１）と、円弧部分（２１２）と、を含み、前記少なくとも１つの第１突起部（２６）が前記円弧部分（２１２）に形成され、前記摺動溝（２４）が円弧状を呈し、前記摺動溝（２４）と前記円弧部分（２１２）の曲率が同じであり；前記本体（２０）は、直線部分（２１１）に形成された２つの位置決め壁（２７）をさらに備え、前記頂面（２１）と前記２つの位置決め壁（２７）が前記ケーブル（Ｃ）を収容及び位置決めするための位置決め溝（２８）を画成し、前記２つの位置決め壁（２７）が各々他の位置決め壁（２７）に向かって延びる少なくとも１つ係止部（２７１）を備え、各前記位置決め壁（２７）の少なくとも１つの係止部（２７１）が前記位置決め溝（２８）を少なくとも２つの位置決め部位（２８１）に分割する、請求項１に記載のケーブル整理具。
【請求項３】
前記摺動溝（２４）は、前記２つの側面（２２）を貫通し、前記摺動部材（４０）が前記摺動溝（２４）に移動可能に貫設された少なくとも１つの摺動部（４３）を備え、前記摺動溝（２４）が少なくとも１個の取り付け穴（２４１）を備え、前記少なくとも１個の取り付け穴（２４１）の穴径が前記摺動溝（２４）の溝幅よりも大きく；前記少なくとも１つの摺動部（４３）は、相互に離間して互いに枢動する２本の延長アーム（４３１）と、前記２本の延長アーム（４３１）の端部に形成されたストッパー部（４３２）と、を備え、前記ストッパー部（４３２）の外径が前記２本の延長アーム（４３１）が互いに対して枢動して変化することで、前記少なくとも１個の取り付け穴（２４１）を選択的に通過することにより、前記少なくとも１つの摺動部（４３）が前記摺動溝（２４）に移動可能に貫設すると共に位置規制され；前記少なくとも２つのガード部材（２３）のいずれか１つは、少なくとも１つの外れ防止部（２３１）を備え、前記少なくとも１つの外れ防止部（２３１）が前記少なくとも２つのガード部材（２３）のいずれかに一体に形成され、前記摺動溝（２４）が前記摺動溝（２４）の内壁面に形成されたフランジ（２４２）を備え、前記摺動部材（４０）の側辺に開口部（４４）が形成される、請求項１に記載のケーブル整理具。
【考案の詳細な説明】
【技術分野】
【０００１】
本考案は、ケーブル整理具に関する。
【背景技術】
【０００２】
一般的に言うと、電子機器は、通常ケーブル（ｃａｂｌｅｓ）を備えている。電子機器が収納キャビネット内に収納される時、ケーブルが収納キャビネット内の他の構造物を通過する必要がある場合が多いため、ケーブルが互いに絡み合うことで、乱雑、もつれ等といった問題が発生しやすくなる。
【０００３】
特許文献１は、レール（ｒａｉｌｓ  １０８）に取り付けることができるケーブル支持アーム（ｃａｂｌｅ  ｓｕｐｐｏｒｔ  ａｒｍ  ２４）が開示されている。ケーブル支持アームには、１個以上のケーブル載置部材（ｃａｂｌｅ  ｓｕｐｐｏｒｔ  ｆｅａｔｕｒｅｓ  ４８）が設けられる。ケーブル載置部材は、金属ワイヤーリングでＵ字型に曲げられ、かつＵ字型の一側のワイヤー本体がケーブル支持アームに固定され、Ｕ字型の他側のワイヤー本体とＵ字型の水平部位をＬ字型になり、ケーブルを収納及び支持するために用いられる。しかしながら、ケーブル支持アームのケーブル載置部材は、上方に開放したフック状であり、ケーブルが素早く載置されることができるが、相対的に言うと、ケーブルも上方開放した空間から脱落してしまう。ケーブル支持アームを使用すると、その上に載置されたケーブルもまっすぐになるか曲がる。言い換えると、ケーブルはケーブル載置部材上で移動したり変形したりし、かつケーブル載置部材上方の開放空間から脱落しやすくなっていた。
【先行技術文献】
【特許文献】
【０００４】
【特許文献１】米国特許第７４７３８４６号明細書
【考案の概要】
【考案が解決しようとする課題】
【０００５】
本考案は、ケーブルを迅速に収容し、ケーブルがケーブル整理具から容易に外れるのを防ぐことができるケーブル整理具を提案する。
【課題を解決するための手段】
【０００６】
本考案によって提案されるケーブル整理具は、本体と、摺動部材と、を含む。本体は、頂面と、２つの側面と、２つのガード部材と、摺動溝と、を備える。頂面と２つのガード部材は、ケーブルを収容するための収容溝を画成する。摺動溝は、少なくとも１つの側面に設けられる。摺動部材は、摺動溝に移動可能に連結され、頂面に面する頂部を備え、頂部が摺動部材と共に摺動溝に対して移動することで、ケーブルを頂面に近づけさせる。
【考案の効果】
【０００７】
上記によれば、本考案のケーブル整理具は、摺動部材を介して摺動溝に対して移動することができ、頂部が摺動部材と共に摺動溝に対して移動し、ケーブルをさらに頂面に近づけることで、第１突起部及び第２突起部でケーブルを屈曲させてケーブルを収容溝に付勢して位置規制させることで、ケーブルを迅速に収容できるだけでなく、ケーブルがケーブル整理具から容易に外れさせないようにすることができる。
【図面の簡単な説明】
【０００８】
【図１】本考案の一実施例に係るケーブル整理具の外観図である。
【図２】図１のケーブル整理具の断面図である。
【図３】図１のケーブル整理具の使用状態を示す図（摺動部材が弛緩位置にあることを示す）である。
【図４】図３の続きであり、摺動部材が付勢位置にあることを示す図である。
【考案を実施するための形態】
【０００９】
図１は、本考案の一実施例に係るケーブル整理具の外観図である。図２は、図１のケーブル整理具の断面図である。図３及び図４は、それぞれ図１のケーブル整理具の使用状態を示す図である。図１乃至図４を参照すると、本実施例のケーブル整理具は、ケーブルＣを収容できる本体２０と、本体２０に移動可能に連結されてケーブルＣを付勢可能な摺動部材４０と、を含む。
【００１０】
本体２０は、使用者又は製造者のニーズに応じてキャビネット或いはその他の物品収容可能な空間に組み付けることができる。本体２０は、頂面２１と、２つの側面２２と、少なくとも２つのガード部材２３と、摺動溝２４と、を備える。頂面２１とガード部材２３は、ケーブルＣを収容するための収容溝２５を画成する。頂面２１は、直線部分２１１と、円弧部分２１２と、を含む。ガード部材２３は、頂面２１に一体に形成され、少なくとも２つのガード部材２３のいずれか１つが少なくとも１つの外れ防止部２３１を備え、外れ防止部２３１が少なくとも２つのガード部材２３のいずれかに一体に形成されることで、ケーブルＣが収容溝２５から外れることを防止する。摺動溝２４は、２つの側面２２の少なくとも１つに設けられると共に円弧部分２１２に近い。摺動溝２４は、少なくとも１個の取り付け穴２４１と、摺動溝２４の内壁面に形成されたフランジ２４２と、を備え、取り付け穴２４１の穴径が摺動溝２４の溝幅よりも大きい。本実施例において、摺動溝２４は円弧状を呈し、２つの側面２２を貫通し、摺動溝２４と円弧部分２１２の曲率が同じである。収容溝２５の上方は、ケーブルＣを収容溝２５に入りやすいため、開放状を呈する。本体２０は、円弧部分２１２に少なくとも１つの第１突起部２６を形成する。本実施例において、円弧部分２１２は、互いに離間した第１突起部２６を形成する。
【００１１】
本体２０は、直線部分２１１に形成された２つの位置決め壁２７をさらに備え、頂面２１と２つの位置決め壁２７がケーブルＣを収容及び位置決めするための位置決め溝２８を画成し、位置決め溝２８の上方がケーブルＣを位置決め溝２８に入りやすくさせるため、開放状を呈する。各位置決め壁２７は、他の位置決め壁２７に向かって延びる少なくとも１つの係止部２７１を備え、各位置決め壁２７の係止部２７１が位置決め溝２８を少なくとも２つの位置決め部位２８１に分割される。本実施例において、各位置決め壁２７は、２つの係止部２７１を一体的に形成し、各位置決め壁２７の２つの係止部２７１が線径の異なるケーブルＣの挟持・位置決めに適するため、共同で位置決め溝２８を３つの寸法が異なる位置決め部位２８１に分割される。
【００１２】
摺動部材４０は、摺動溝２４に移動可能に連結され、弛緩位置と付勢位置との間で切り替えることができる。摺動部材４０は、頂面２１に面する頂部４１と、頂部４１に形成された第２突起部４２と、摺動溝２４に移動可能に貫設された少なくとも１つの摺動部４３と、摺動部材４０の側辺に形成された開口部４４と、を備える。頂部４１は、摺動部材４０と共に摺動溝２４に対して移動してケーブルＣを頂面２１に近づけ、第１突起部２６及び第２突起部４２が摺動部材４０と共に摺動溝２４に対して移動してケーブルＣを屈曲させることで、ケーブルＣが収容溝２５から外れるのを防止するよう構成される。
【００１３】
本実施例において、摺動部４３と取り付け穴２４1の数は同じである。摺動部４３は、相互に離間して互いに枢動する２本の延長アーム４３１と、２本の延長アーム４３１の端部に形成されたストッパー部４３２と、を備える。ストッパー部４３２の外径は、２本の延長アーム４３１が互いに対して枢動して変化することで、取り付け穴２４１を選択的に通過することにより、摺動部４３が摺動溝２４に移動可能に貫設すると共に位置規制される。組立作業者が摺動部材４０を本体２０に組み付ける時、自然状態下のストッパー部４３２の外径は取り付け穴２４１の穴径よりも大きいため、組立作業者が摺動部材４０に力を加えて、２本の延長アーム４３１に弾性変形が生じて互いに対して枢動することにより、力を受けた状態下のストッパー部４３２の外径を取り付け穴２４１の穴径よりも小さくさせて、取り付け穴２４１を通過させることができる。ストッパー部４３２は、取り付け穴２４１を通過すると、弾性的に復元するため、摺動部４３を摺動溝２４に位置規制させて摺動溝２４から抜け出せなくようになる。
【００１４】
図３を参照すると、摺動部材４０は弛緩位置にあり、ケーブルＣが収容溝２５上方の開放空間及び摺動部材４０の開口部４４を通って収容溝２５に迅速に入ることができ、かつケーブルＣが位置決め溝２８上方の開放空間を通って位置決め溝２８に迅速に入ることもでき、現在のケーブルＣの線径に応じて現在のケーブルＣの挟持に適した位置決め部位２８１に入ることができる。外れ防止部２３１は、ケーブルＣが収容溝２５から外れるのを防止することができ、第１突起部２６及び第２突起部４２がケーブルＣの反対両側にそれぞれ当接する。
【００１５】
図４を参照すると、摺動部材４０は摺動溝２４に対して移動し、摺動部４３が摺動溝２４内に設けられたフランジ２４２を越えて徐々に取り付け穴２４１から離れ、摺動部材４０が弛緩位置から付勢位置に変える。頂部４１は、摺動部材４０と共に摺動溝２４に対して移動し、ケーブルＣをさらに頂面２１に近づけることで、第１突起部２６及び第２突起部４２がケーブルＣを屈曲させて、ケーブルＣを収容溝２５内に付勢させ、ケーブルＣが収容溝２５から外れないようにする。
【産業上の利用可能性】
【００１６】
上記をまとめると、本実施例のケーブル整理具は、摺動部材４０を介して摺動溝２４に対して移動することができ、頂部４１が摺動部材４０と共に摺動溝２４に対して移動し、ケーブルＣをさらに頂面２１に近づけることで、第１突起部２６及び第２突起部４２でケーブルＣを屈曲させてケーブルＣを収容溝２５に付勢して位置規制させることで、ケーブルＣを迅速に収容できるだけでなく、ケーブルＣがケーブル整理具から容易に外れさせないようにすることができる。
【符号の説明】
【００１７】
２０  本体
２１  頂面
２１１  直線部分
２１２  円弧部分
２２  側面
２３  ガード部材
２３１  外れ防止部
２４  摺動溝
２４１  取り付け穴
２４２  フランジ
２５  収容溝
２６  第１突起部
２７  位置決め壁
２７１  係止部
２８  位置決め溝
２８１  位置決め部位
４０  摺動部材
４１  頂部
４２  第２突起部
４３  摺動部
４３１  延長アーム
４３２  トッパー部
４４  開口部
Ｃ  ケーブル
【図１】
0003228366.tif 000003
【図２】
0003228366.tif 000004
【図３】
0003228366.tif 000005
【図４】
0003228366.tif 000006